(57)【特許請求の範囲】
【請求項１】
画像データを印刷する印刷装置と、画像データを表示する表示装置と接続される情報処理装置であって、
前記情報処理装置とネットワークを介して接続されるＳＮＳサービスから、予め設定された所定のハッシュタグが付与された画像データであって、前記画像データの書誌情報が所定の条件を満たす画像データを取得する取得手段と、
ユーザの操作に応じて、前記取得手段により取得された画像データを前記印刷装置に印刷させる印刷手段と、
前記取得手段により取得された画像データを前記表示装置に表示させる表示手段と、
を有し、
前記取得手段は、
前記ハッシュタグが付与された画像データであって、前記画像データの書誌情報に含まれる位置情報が、前記印刷装置の設置場所から所定の範囲内であり、かつ、前記書誌情報に含まれる撮影日時が所定の日時である画像データを取得する、情報処理装置。
【請求項２】
前記表示手段は、
前記取得手段により取得された画像データのうち、前記印刷手段により前記印刷装置に印刷させた画像データを前記表示装置に表示させる、請求項１に記載の情報処理装置。
【請求項３】
前記印刷手段は、
前記取得手段により取得された画像データのうち、前記ユーザにより選択された画像データに対して、所定のコード情報の付加する処理を行って、該コード情報が付加された画像データを前記印刷装置に印刷させる、請求項１又は２に記載の情報処理装置。
【請求項４】
前記取得手段により取得された画像データ毎に、該画像データに関連するコンテンツデータを関連付けて記憶する記憶部を有し、
前記印刷手段は、
前記取得手段により取得された画像データのうち、前記ユーザにより選択された画像データに対して、該選択された画像データに関連付けて前記記憶部に記憶されている前記コンテンツデータを示すコード情報の付加する処理を行って、該コード情報が付加された画像データを前記印刷装置に印刷させる、請求項３に記載の情報処理装置。
【請求項５】
画像データを印刷可能な画像処理装置と、画像データを表示する表示装置と情報処理システムであって、
前記画像処理装置とネットワークを介して接続されるＳＮＳサービスから、予め設定された所定のハッシュタグが付与された画像データであって、前記画像データの書誌情報が所定の条件を満たす画像データを取得する取得手段と、
ユーザの操作に応じて、前記取得手段により取得された画像データを前記画像処理装置に印刷させる印刷手段と、
前記取得手段により取得された画像データを前記表示装置に表示させる表示手段と、
を有し、
前記取得手段は、
前記ハッシュタグが付与された画像データであって、前記画像データの書誌情報に含まれる位置情報が、前記画像処理装置の設置場所から所定の範囲内であり、かつ、前記書誌情報に含まれる撮影日時が所定の日時である画像データを取得する、情報処理システム。
【請求項６】
画像データを印刷する印刷装置と、画像データを表示する表示装置と接続される情報処理装置に用いられる情報処理方法であって、
前記情報処理装置とネットワークを介して接続されるＳＮＳサービスから、予め設定された所定のハッシュタグが付与された画像データであって、前記画像データの書誌情報が所定の条件を満たす画像データを取得する取得手順と、
ユーザの操作に応じて、前記取得手順により取得された画像データを前記印刷装置に印刷させる印刷手順と、
前記取得手順により取得された画像データを前記表示装置に表示させる表示手順と、
を有し、
前記取得手順は、
前記ハッシュタグが付与された画像データであって、前記画像データの書誌情報に含まれる位置情報が、前記印刷装置の設置場所から所定の範囲内であり、かつ、前記書誌情報に含まれる撮影日時が所定の日時である画像データを取得する、情報処理方法。
【請求項７】
画像データを印刷する印刷装置と、画像データを表示する表示装置と接続される情報処理装置に用いられる情報処理装置に、
前記情報処理装置とネットワークを介して接続されるＳＮＳサービスから、予め設定された所定のハッシュタグが付与された画像データであって、前記画像データの書誌情報が所定の条件を満たす画像データを取得する取得手順、
ユーザの操作に応じて、前記取得手順により取得された画像データを前記印刷装置に印刷させる印刷手順、
前記取得手順により取得された画像データを前記表示装置に表示させる表示手順、
を実行させ、
前記取得手順は、
前記ハッシュタグが付与された画像データであって、前記画像データの書誌情報に含まれる位置情報が、前記印刷装置の設置場所から所定の範囲内であり、かつ、前記書誌情報に含まれる撮影日時が所定の日時である画像データを取得する、プログラム。
【発明の詳細な説明】
【技術分野】
【０００１】
本発明は、情報処理装置、情報処理システム、情報処理方法、及びプログラムに関する。
【背景技術】
【０００２】
近年、インターネット上でユーザや企業、行政機関等が互いに交流を図ることができるＳＮＳ（Social Networking Service）サービスが知られている。ＳＮＳサービスでは、ユーザが投稿した写真（画像）の共有、メッセージの送受信、日記（ブログ）の公開等の様々な機能が提供されている。
【０００３】
また、ＳＮＳサービスに投稿された写真をイベント会場や店舗等に設置されたプリンタで印刷する技術が知られている（例えば非特許文献１及び２参照）。
【発明の概要】
【発明が解決しようとする課題】
【０００４】
しかしながら、上記の従来技術では、ＳＮＳサービスに投稿された写真（画像）を様々な機器と連携させて出力することができなかった。すなわち、例えば、ＳＮＳサービスに投稿された写真を印刷すると共に、印刷された写真をプロジェクタやサイネージ等で表示することができなかった。
【０００５】
印刷された写真をプロジェクタやサイネージ等で表示することで、例えば、イベント会場や店舗等にプリンタが設置されていることを来場者や来店者等に知らせることができ、プリンタの利用率を上げることができる。
【０００６】
本発明の一実施形態は、上記の点に鑑みてなされたもので、ＳＮＳサービスと機器とを連携させたサービスを提供することを目的とする。
【課題を解決するための手段】
【０００７】
上記目的を達成するため、本発明の一実施形態は、画像データを印刷する印刷装置と、画像データを表示する表示装置と接続される情報処理装置であって、前記情報処理装置とネットワークを介して接続されるＳＮＳサービスから所定の画像データを取得する取得手段と、ユーザの操作に応じて、前記取得手段により取得された画像データを前記印刷装置に印刷させる印刷手段と、前記取得手段により取得された画像データを前記表示装置に表示させる表示手段と、を有する。
【発明の効果】
【０００８】
本発明の一実施形態によれば、ＳＮＳサービスと機器とを連携させたサービスを提供することができる。
【図面の簡単な説明】
【０００９】
【図１】第一の実施形態に係るサービス提供システムの一例のシステム構成を示す図である。
【図２】第一の実施形態に係るサービス提供システムの全体的な処理の概略を説明する図である。
【図３】第一の実施形態に係るサービス提供装置の一例のハードウェア構成を示す図である。
【図４】第一の実施形態に係る撮像装置の一例のハードウェア構成を示す図である。
【図５】第一の実施形態に係るサービス提供システムの一例の機能構成を示す図である。
【図６】第一の実施形態に係る印刷済情報の一例を示す図である。
【図７】第一の実施形態に係る画像の撮像から格納までの処理の一例を示すシーケンス図である。
【図８】第一の実施形態に係る画像の印刷処理の一例を示すシーケンス図である。
【図９】画像の一覧画面の一例を示す図である。
【図１０】印刷プレビュー画面の一例を示す図である。
【図１１】第一の実施形態に係る画像の投影処理の一例を示すシーケンス図である。
【図１２】第二の実施形態に係るサービス提供システムの一例の機能構成を示す図である。
【図１３】第二の実施形態に係る画像の印刷処理の一例を示すシーケンス図である。
【図１４】コード情報が付与された画像の印刷物の一例を示す図である。
【図１５】第三の実施形態に係るサービス提供システムの一例の機能構成を示す図である。
【図１６】第三の実施形態に係る印刷画像情報の一例を示す図である。
【図１７】第三の実施形態に係る画像の撮像から格納までの処理の一例を示すシーケンス図である。
【図１８】第三の実施形態に係る画像の印刷処理の一例を示すシーケンス図である。
【図１９】第三の実施形態に係る画像の投影処理の一例を示すシーケンス図である。
【図２０】第四の実施形態に係るサービス提供システムの一例の機能構成を示す図である。
【図２１】第四の実施形態に係る印刷画像情報の一例を示す図である。
【図２２】第四の実施形態に係る画像の撮像から格納までの処理の一例を示すシーケンス図である。
【図２３】第四の実施形態に係る画像の印刷処理の一例を示すシーケンス図である。
【発明を実施するための形態】
【００１０】
以下、本発明の実施形態について、図面を参照しながら詳細に説明する。
【００１１】
［第一の実施形態］
＜システム構成＞
まず、本実施形態に係るサービス提供システム１のシステム構成について、図１を参照しながら説明する。図１は、第一の実施形態に係るサービス提供システム１の一例のシステム構成を示す図である。
【００１２】
図１に示すサービス提供システム１は、サービス提供装置１０と、撮像装置２０と、印刷装置３０と、投影装置４０と、サイネージ装置５０とを有する。また、サービス提供装置１０と撮像装置２０とは、インターネット等の広域的なネットワークＮを介して、ＳＮＳサービス６０と通信可能に接続されている。
【００１３】
ＳＮＳサービス６０は、写真（画像）の共有、メッセージの送受信、日記（ブログ）の公開等の様々な機能を提供する。ＳＮＳサービス６０には、例えば、Ｆａｃｅｂｏｏｋ（登録商標）、Ｔｗｉｔｔｅｒ（登録商標）、Ｉｎｓｔａｇｒａｍ（登録商標）等が挙げられる。
【００１４】
サービス提供装置１０は、ＳＮＳサービス６０と連携した印刷サービスを提供する情報処理装置である。すなわち、サービス提供装置１０は、ユーザの操作に応じて、ＳＮＳサービス６０に投稿された写真（画像）を印刷装置３０で印刷する印刷サービスを提供する。
【００１５】
また、サービス提供装置１０は、印刷装置３０で印刷された写真（画像）を投影装置４０やサイネージ装置５０等で表示する。
【００１６】
撮像装置２０は、ユーザが写真を撮像するためのスマートフォン、タブレット端末、デジタルカメラ、携帯電話、携帯型ゲーム機器、携帯型音楽プレーヤ等である。すなわち、撮像装置２０は、ユーザが携帯可能で、かつ、写真を撮像することができる各種の電子機器である。ユーザは、撮像装置２０を用いて、写真を撮像すると共に、撮像した写真をＳＮＳサービス６０に投稿することができる。
【００１７】
印刷装置３０は、サービス提供装置１０においてユーザにより選択された写真（画像）を印刷するプリンタである。なお、印刷装置３０は、例えば、サービス提供装置１０と一体となっていても良い。
【００１８】
投影装置４０は、印刷装置３０で印刷された写真（画像）を投影表示するプロジェクタである。サイネージ装置５０は、印刷装置３０で印刷された写真（画像）を表示する電子看板である。なお、本実施形態に係るサービス提供システム１は、投影装置４０及びサイネージ装置５０の少なくともいずれか一方を有していれば良い。
【００１９】
なお、サービス提供装置１０、印刷装置３０、投影装置４０、及びサイネージ装置５０は、例えば、コンサート会場やファッションショー会場等のイベント会場、美容院や結婚式場、ショッピングモール等の各種店舗等に設置される。
【００２０】
また、図１に示すサービス提供システム１は、一例であって、他の構成であっても良い。例えば、サービス提供システム１は、サービス提供装置１０、印刷装置３０、投影装置４０、及びサイネージ装置５０を、それぞれ複数台有していても良い。
【００２１】
さらに、例えば、サービス提供システム１は、印刷装置３０で印刷された写真（画像）を表示するための大型ディスプレイパネル等の種々の表示装置を有していても良い。
【００２２】
ここで、本実施形態に係るサービス提供システム１の全体的な処理の概略について、図２を参照しながら説明する。図２は、第一の実施形態に係るサービス提供システム１の全体的な処理の概略を説明する図である。
【００２３】
まず、ユーザは、イベント会場等において、撮像装置２０を用いて写真（画像）を撮像し、撮像した写真（画像）に所定のハッシュタグを付与してＳＮＳサービス６０に投稿する（ステップＳ１）。ここで、ハッシュタグとは、写真の内容や写真に関連する内容等を表す任意の文字列である。ＳＮＳサービス６０では、例えば、同じイベントに参加しているユーザが投稿した写真、同じ経験や同じ趣味を持つユーザが投稿した写真等がハッシュタグにより関連付けられる。
【００２４】
なお、本実施形態では、ユーザは、撮像装置２０を用いて、ハッシュタグを付与した写真（画像）をＳＮＳサービス６０に投稿するものとしたが、これに限られない。すなわち、ユーザは、例えば、撮像装置２０を用いて、ＳＮＳサービス６０により表示される所定のページに写真（画像）を投稿しても良い。この場合、ＳＮＳサービス６０に投稿された写真は、ページの識別情報（例えば、ページＩＤ等）により関連付けられる。
【００２５】
次に、ユーザは、イベント会場等に設置されているサービス提供装置１０において、ＳＮＳサービス６０に投稿した写真（画像）を印刷するための利用開始操作を行う（ステップＳ２）。
【００２６】
すると、サービス提供装置１０は、所定のハッシュタグを指定して、ＳＮＳサービス６０に投稿された写真（画像）の一覧を取得する（ステップＳ３）。このように、サービス提供装置１０は、所定のハッシュタグが付与されている写真の一覧をＳＮＳサービス６０から取得する。
【００２７】
そして、サービス提供装置１０は、写真の一覧のうち、ユーザにより選択された写真を印刷装置３０で印刷する（ステップＳ４）と共に、投影装置４０やサイネージ装置５０で表示する（ステップＳ５−１及びステップＳ５−２）。
【００２８】
このように、本実施形態に係るサービス提供システム１は、例えば、イベント会場等において、ユーザが所定のハッシュタグ等を付与してＳＮＳサービス６０に投稿した写真を印刷装置３０で印刷することができる。
【００２９】
また、本実施形態に係るサービス提供システム１は、印刷装置３０で印刷された写真を投影装置４０やサイネージ装置５０で表示する。このため、本実施形態に係るサービス提供システム１では、例えば、イベント会場等にサービス提供装置１０及び印刷装置３０が設置されていることを、イベント会場等にいるイベント参加者等に認識させることができる。
【００３０】
これにより、本実施形態に係るサービス提供システム１では、サービス提供装置１０を用いて印刷装置３０で写真の印刷を行う利用者数を増加させることができる。
【００３１】
なお、印刷装置３０で印刷された写真を投影装置４０で投影表示する場合と、印刷された写真をサイネージ装置５０に表示する場合とは、同様の方法で実現することができるため、以降では、一例として、投影装置４０で投影表示する場合について説明する。
【００３２】
＜ハードウェア構成＞
次に、本実施形態に係るサービス提供装置１０及び撮像装置２０のハードウェア構成について説明する。
【００３３】
まず、本実施形態に係るサービス提供装置１０のハードウェア構成について、図３を参照しながら説明する。図３は、第一の実施形態に係るサービス提供装置１０の一例のハードウェア構成を示す図である。
【００３４】
図３に示すサービス提供装置１０は、入力装置１１と、表示装置１２と、外部Ｉ／Ｆ１３と、ＲＡＭ（Random Access Memory）１４とを有する。また、サービス提供装置１０は、ＲＯＭ（Read Only Memory）１５と、ＣＰＵ（Central Processing Unit）１６と、通信Ｉ／Ｆ１７と、記憶装置１８とを有する。これらの各ハードウェアは、それぞれがバスＢ１で接続されている。
【００３５】
入力装置１１は、タッチパネル等であり、各種の操作を入力するのに用いられる。なお、入力装置１１は、キーボードやマウス等であっても良い。表示装置１２は、ディスプレイ等であり、サービス提供装置１０による処理結果を表示する。
【００３６】
通信Ｉ／Ｆ１７は、サービス提供装置１０をネットワークＮに接続するインタフェースである。これにより、サービス提供装置１０は、通信Ｉ／Ｆ１７を介して通信を行うことができる。
【００３７】
記憶装置１８は、例えば、ＨＤＤ（Hard Disk Drive）等であり、プログラムやデータを格納している。記憶装置１８に格納されるプログラムやデータには、サービス提供装置１０全体を制御する基本ソフトウェアであるＯＳ（Operating System）、ＯＳ上において各種機能を提供するアプリケーションソフトウェア等がある。
【００３８】
なお、サービス提供装置１０は、記憶媒体としてフラッシュメモリを用いるドライブ装置（例えば、ＳＳＤ（Solid State Drive）等）を記憶装置１８として利用しても良い。また、記憶装置１８は、格納しているプログラムやデータを所定のファイルシステムやＤＢ（データベース）により管理している。
【００３９】
外部Ｉ／Ｆ１３は、外部装置とのインタフェースである。外部装置には、記録媒体１３ａ等がある。これにより、サービス提供装置１０は、外部Ｉ／Ｆ１３を介して記録媒体１３ａの読み取りや書き込みを行うことができる。記録媒体１３ａには、フレキシブルディスク、ＣＤ、ＤＶＤ、ＳＤメモリカード、ＵＳＢメモリ等がある。
【００４０】
ＲＯＭ１５は、電源を切ってもプログラムやデータを保持することができる不揮発性の半導体メモリである。ＲＯＭ１５には、サービス提供装置１０の起動時に実行されるＢＩＯＳ（Basic Input/Output System）、ＯＳ設定、及びネットワーク設定等のプログラムやデータが格納されている。ＲＡＭ１４は、プログラムやデータを一時保持する揮発性の半導体メモリである。
【００４１】
ＣＰＵ１６は、ＲＯＭ１５や記憶装置１８等からプログラムやデータをＲＡＭ１４上に読み出し、処理を実行することで、サービス提供装置１０全体の制御や機能を実現する演算装置である。
【００４２】
本実施形態に係るサービス提供装置１０は、図３に示すハードウェア構成を有することにより、後述するような各種処理を実現できる。
【００４３】
次に、本実施形態に係る撮像装置２０がスマートフォンやタブレット端末等である場合のハードウェア構成について、図４を参照しながら説明する。図４は、第一の実施形態に係る撮像装置２０の一例のハードウェア構成を示す図である。
【００４４】
図４に示す撮像装置２０は、入力装置２１と、表示装置２２と、外部Ｉ／Ｆ２３と、ＲＡＭ２４とを有する。また、撮像装置２０は、ＲＯＭ２５と、ＣＰＵ２６と、通信Ｉ／Ｆ２７と、記憶装置２８と、カメラ装置２９とを有する。これらの各ハードウェアは、それぞれがバスＢ２で接続されている。
【００４５】
入力装置２１は、タッチパネル等であり、各種の操作を入力するのに用いられる。なお、入力装置２１は、キーボードやマウス等であっても良い。表示装置２２は、ディスプレイ等であり、撮像装置２０による処理結果を表示する。
【００４６】
通信Ｉ／Ｆ２７は、撮像装置２０をネットワークＮに接続するインタフェースである。これにより、撮像装置２０は、通信Ｉ／Ｆ２７を介して通信を行うことができる。
【００４７】
記憶装置２８は、例えば、ＳＳＤ等であり、プログラムやデータを格納している。記憶装置２８に格納されるプログラムやデータには、撮像装置２０全体を制御する基本ソフトウェアであるＯＳ、ＯＳ上において各種機能を提供するアプリケーションソフトウェア等がある。
【００４８】
外部Ｉ／Ｆ２３は、外部装置とのインタフェースである。外部装置には、記録媒体２３ａ等がある。これにより、撮像装置２０は、外部Ｉ／Ｆ２３を介して記録媒体２３ａの読み取りや書き込みを行うことができる。記録媒体２３ａには、ＳＤメモリカード、ＵＳＢメモリ等がある。
【００４９】
ＲＯＭ２５は、電源を切ってもプログラムやデータを保持することができる不揮発性の半導体メモリである。ＲＯＭ２５には、ＯＳ設定やネットワーク設定等のプログラムやデータが格納されている。ＲＡＭ２４は、プログラムやデータを一時保持する揮発性の半導体メモリである。
【００５０】
ＣＰＵ２６は、ＲＯＭ２５や記憶装置２８等からプログラムやデータをＲＡＭ２４上に読み出し、処理を実行することで、撮像装置２０全体の制御や機能を実現する演算装置である。カメラ装置２９は、撮像範囲内の被写体を撮像することで、画像データを生成する。
【００５１】
本実施形態に係る撮像装置２０は、図４に示すハードウェア構成を有することにより、後述するような各種処理を実現できる。
【００５２】
＜機能構成＞
次に、本実施形態に係るサービス提供システム１の機能構成について、図５を参照しながら説明する。図５は、第一の実施形態に係るサービス提供システム１の一例の機能構成を示す図である。
【００５３】
図５に示すように、サービス提供装置１０は、入力受付部１０１と、データ取得部１０２と、表示制御部１０３と、印刷処理部１０４と、印刷済情報管理部１０５と、投影処理部１０６とを有する。これら各機能部は、サービス提供装置１０にインストールされた１以上のプログラムが、ＣＰＵ１６に実行させる処理により実現される。
【００５４】
また、サービス提供装置１０は、印刷済情報記憶部１０７を有する。当該記憶部は、例えば、記憶装置１８を用いて実現可能である。なお、当該記憶部は、サービス提供装置１０とネットワークＮを介して接続される記憶装置等を用いて実現されていても良い。
【００５５】
入力受付部１０１は、ユーザからの各種操作の入力を受け付ける。例えば、入力受付部１０１は、ＳＮＳサービス６０に投稿された写真（画像）を印刷するための利用開始操作の入力を受け付ける。また、例えば、入力受付部１０１は、表示制御部１０３により表示された写真（画像）の一覧の中から印刷する写真（画像）を選択するための選択操作（画像選択操作）を受け付ける。
【００５６】
データ取得部１０２は、ＳＮＳサービス６０から各種のデータを取得する。例えば、データ取得部１０２は、入力受付部１０１により利用開始操作が受け付けられると、所定のハッシュタグが付与された写真（画像）の一覧をＳＮＳサービス６０から取得する。また、例えば、データ取得部１０２は、入力受付部１０１により画像選択操作が受け付けられると、ユーザにより選択された写真（画像）をＳＮＳサービス６０から取得する。
【００５７】
表示制御部１０３は、各種画面を表示する。例えば、表示制御部１０３は、データ取得部１０２により写真（画像）の一覧が取得されると、画像の一覧画面を表示する。また、例えば、表示制御部１０３は、入力受付部１０１により画像選択操作が受け付けられると、選択された写真（画像）の印刷プレビュー画面を表示する。
【００５８】
印刷処理部１０４は、入力受付部１０１により印刷の実行操作が受け付けられると、ユーザにより選択された写真（画像）に対して、フレームの追加等の所定の加工を施した上で、印刷要求を印刷装置３０に送信する。これにより、印刷装置３０において、ユーザにより選択された写真（画像）が印刷される。
【００５９】
印刷済情報管理部１０５は、印刷装置３０で印刷された写真（画像）の情報を管理する。例えば、印刷済情報管理部１０５は、印刷処理部１０４により写真の印刷要求が送信されると、当該写真の格納先ＵＲＬ（Uniform Resource Locator）を印刷済情報として印刷済情報記憶部１０７に記憶させる。
【００６０】
投影処理部１０６は、印刷済情報管理部１０５により管理されている印刷済情報に基づいて、印刷装置３０で印刷された写真（画像）の投影要求を投影装置４０に送信する。これにより、投影装置４０において、印刷装置３０で印刷された写真（画像）が投影表示される。
【００６１】
印刷済情報記憶部１０７は、印刷済情報を記憶する。ここで、印刷済情報記憶部１０７に記憶されている印刷済情報について、図６を参照しながら説明する。図６は、第一の実施形態に係る印刷済情報の一例を示す図である。
【００６２】
図６に示すように、印刷済情報記憶部１０７には、印刷装置３０で印刷された写真（画像）の格納先ＵＲＬ（すなわち、ＳＮＳサービス６０における格納先ＵＲＬ）を示す印刷済情報が記憶されている。
【００６３】
また、図５に示すように、撮像装置２０は、入力受付部２０１と、撮像部２０２と、画像送信部２０３とを有する。これら各機能部は、撮像装置２０にインストールされた１以上のプログラムが、ＣＰＵ２６に実行させる処理により実現される。
【００６４】
入力受付部２０１は、ユーザからの各種操作の入力を受け付ける。例えば、入力受付部２０１は、写真（画像）を撮像するための撮像操作を受け付ける。また、例えば、入力受付部２０１は、ＳＮＳサービス６０に写真（画像）を投稿するための投稿操作を受け付ける。
【００６５】
撮像部２０２は、入力受付部２０１により撮像操作が受け付けられると、写真（画像）を撮像して、画像データを生成する。
【００６６】
画像送信部２０３は、入力受付部２０１により投稿操作が受け付けられると、撮像部２０２により生成された画像データにハッシュタグを付与して、ＳＮＳサービス６０に投稿（アップロード）する。なお、ハッシュタグは、例えば、ユーザにより入力又は選択等される。
【００６７】
＜処理の詳細＞
次に、本実施形態に係るサービス提供システム１の処理の詳細について説明する。
【００６８】
まず、ユーザが写真（画像）を撮像して、ＳＮＳサービス６０に投稿（すなわち、ＳＮＳ６０上に写真を格納）するまでの処理について、図７を参照しながら説明する。図７は、第一の実施形態に係る画像の撮像から格納までの処理の一例を示すシーケンス図である。
【００６９】
ユーザは、例えば、撮像装置２０のカメラ装置２９を起動させて、写真を撮像するための撮像操作を行う。すると、撮像装置２０の入力受付部２０１は、ユーザによる撮像操作を受け付ける（ステップＳ７０１）。
【００７０】
次に、撮像装置２０の撮像部２０２は、入力受付部２０１により撮像操作が受け付けられると、写真（画像）を撮像して、画像データを生成する（ステップＳ７０２）。
【００７１】
次に、ユーザは、例えば、ＳＮＳサービス６０にログインした上で、撮像部２０２により生成された画像データにハッシュタグを指定して、ＳＮＳサービス６０に投稿するための投稿操作を行う。すると、撮像装置２０の入力受付部２０１は、ユーザによる投稿操作を受け付ける（ステップＳ７０３）。
【００７２】
ここで、ユーザは、サービス提供装置１０及び印刷装置３０が設置されているイベント会場の主催者等により予め決められたハッシュタグを指定して投稿操作を行う。ユーザは、例えば、イベント会場内のポスターやフライヤー、イベントを告知するＷｅｂページ等により、ＳＮＳサービス６０に写真を投稿する際に指定すべきハッシュタグを知ることができる。
【００７３】
次に、撮像装置２０の画像送信部２０３は、入力受付部２０１により投稿操作が受け付けられると、撮像部２０２により生成された画像データに、ユーザにより指定されたハッシュタグを付与して、ＳＮＳサービス６０に投稿する（ステップＳ７０４）。
【００７４】
以上により、例えば、イベント会場やショッピングモール等（すなわち、サービス提供装置１０及び印刷装置３０が設置されている場所）で撮像した写真（画像）に、所定のハッシュタグが付与されてＳＮＳサービス６０に投稿される。
【００７５】
次に、ユーザがサービス提供装置１０を用いて、ＳＮＳサービス６０に投稿された写真（画像）を印刷する処理について、図８を参照しながら説明する。図８は、第一の実施形態に係る画像の印刷処理の一例を示すシーケンス図である。
【００７６】
まず、ユーザは、サービス提供装置１０の入力装置１１を用いて、ＳＮＳサービス６０に投稿された写真（画像）を印刷するための利用開始操作を行う。すると、サービス提供装置１０の入力受付部１０１は、ユーザによる利用開始操作を受け付ける（ステップＳ８０１）。
【００７７】
サービス提供装置１０のデータ取得部１０２は、入力受付部１０１により利用開始操作が受け付けられると、所定のハッシュタグが付与された写真（画像）の一覧を取得するための取得要求をＳＮＳサービス６０に送信する（ステップＳ８０２）。すると、所定のハッシュタグが付与された写真（画像）の一覧がＳＮＳサービス６０から返信される。
【００７８】
ここで、データ取得部１０２は、ＳＮＳサービス６０が公開しているＷｅｂＡＰＩ（Web Application Programming Interface）を用いて、所定のハッシュタグを指定した要求をＳＮＳサービス６０に送信することで、写真の一覧を取得することができる。
【００７９】
ここで、所定のハッシュタグが付与された写真（画像）の一覧とは、例えば、当該ハッシュタグが付与された画像データの格納先ＵＲＬの一覧等である。なお、写真（画像）の一覧の取得要求に指定されるハッシュタグは、例えば、サービス提供装置１０の設置者等により予め設定される。
【００８０】
次に、サービス提供装置１０の表示制御部１０３は、データ取得部１０２により写真（画像）の一覧が取得されると、例えば図９に示す画像の一覧画面１０００を表示する（ステップＳ８０３）。
【００８１】
ここで、図９に示す画像の一覧画面１０００は、ハッシュタグ「＃ＡＢＣ＿ＩＶＥＮＴ」が付与された画像の一覧１１００が表示された画面である。後述するように、ユーザは、画像の一覧１１００の中から所望の画像を選択することで、選択した画像を印刷装置３０で印刷することができる。
【００８２】
なお、表示制御部１０３は、データ取得部１０２により取得された画像の一覧に含まれる格納先ＵＲＬが示す画像データの書誌情報（例えば、Ｅｘｉｆ情報）を参照して、所定の条件を満たす画像データのみを画像の一覧１１００に表示させても良い。例えば、画像データのＥｘｉｆ情報に含まれる位置情報が所定の範囲内である画像データのみを画像の一覧１１００に表示させても良いし、画像データのＥｘｉｆ情報に含まれる撮影日時が所定の日時である画像データのみを画像の一覧１１００に表示させても良い。
【００８３】
これにより、例えば、ハッシュタグは同一であるものの、イベント会場以外で撮像された画像データや撮影日が異なる画像データ等が画像の一覧１１００に表示されてしまうのを防止することができる。
【００８４】
次に、ユーザは、画像の一覧１１００の中から印刷する画像を選択するための画像選択操作と、選択した画像を印刷するための印刷操作とを行う。すると、サービス提供装置１０の入力受付部１０１は、画像選択操作及び印刷操作を受け付ける（ステップＳ８０４）。
【００８５】
ここで、表示制御部１０３は、入力受付部１０１により画像選択操作が受け付けられると、例えば図１０に示す印刷プレビュー画面２０００を表示する。
【００８６】
図１０に示す印刷プレビュー画面２０００は、図９に示す画像の一覧画面１０００において、画像の一覧１１００の中から「画像Ｂ」がユーザにより選択された場合に表示される画面である。図１０に示す印刷プレビュー画面２０００には、プレビューイメージ２１００と、フレーム選択欄２２００と、印刷ボタン２３００とが含まれる。
【００８７】
プレビューイメージ２１００は、ユーザにより選択された画像が印刷された場合における印刷イメージであり、フレーム選択欄２２００の中から選択されたフレームに応じて、ユーザにより選択された写真（画像）が加工されて表示される。また、プレビューイメージ２１００には、例えば、イベントの主催者や後援者等である企業の企業名等を示す広告ロゴ２１０１が含まれる。
【００８８】
このように、ユーザにより選択された画像のフレームには、広告ロゴ２１０１が表示されることで、サービス提供装置１０及び印刷装置３０の設置者（イベントの主催者）は、企業プロモーションや製品プロモーション等を行うことができる。
【００８９】
なお、図１０に示す印刷プレビュー画面２０００では、フレーム選択欄２２００の中から所望のフレームをユーザが選択することができるものとしたが、これに限られない。印刷プレビュー画面２０００において、ユーザは、例えば、モノクロやセピア、カラースプラッシュ等の様々な画像加工を行うフィルタを選択することができても良い。
【００９０】
ここで、ユーザは、図１０に示す印刷プレビュー画面２０００において、印刷ボタン２３００を押下することにより印刷操作を行うことができる。
【００９１】
サービス提供装置１０のデータ取得部１０２は、入力受付部１０１により印刷操作が受け付けられると、ユーザにより選択された写真の画像データを取得するための取得要求をＳＮＳサービス６０に送信する（ステップＳ８０５）。すると、ユーザにより選択された写真の画像データがＳＮＳサービス６０から返信される。
【００９２】
ここで、データ取得部１０２は、上記のステップＳ８０２でＳＮＳサービス６０から返信された画像データの格納先ＵＲＬの一覧の中から、ユーザにより選択された画像データの格納先ＵＲＬを用いて、当該画像データを取得することができる。
【００９３】
次に、サービス提供装置１０の印刷処理部１０４は、データ取得部１０２により画像データが取得されると、当該画像データを加工する（ステップＳ８０６）。すなわち、印刷処理部１０４は、例えば、図１０に示す印刷プレビュー画面２０００のフレーム選択欄２２００において選択されたフレームに応じて、データ取得部１０２により取得された画像データを加工する。具体的には、例えば、データ取得部１０２により取得された画像データが示す画像の上に、フレーム選択欄２２００において選択されたフレームを重畳させることで、画像データを加工する。
【００９４】
次に、サービス提供装置１０の印刷処理部１０４は、加工後の画像データが含まれる印刷要求を印刷装置３０に送信する（ステップＳ８０７）。そして、印刷装置３０は、印刷要求を受信すると、当該印刷要求に含まれる画像データを印刷する（ステップＳ８０８）。これにより、ユーザにより選択された写真（画像）に対してフレームの追加等が施された画像が印刷される。
【００９５】
ここで、印刷装置３０は、写真用紙等の紙に画像データを印刷する場合に限られない。印刷装置３０は、例えば、Ｔシャツ等の布、樹脂等のシート材、プラスチック、銅箔、プリプレグ等の被印刷物に画像データを印刷しても良い。
【００９６】
なお、印刷装置３０で画像が印刷されている間、例えば、サービス提供装置１０の表示装置１２には、イベントの主催者や後援者等である企業の広告等が表示されても良い。
【００９７】
次に、サービス提供装置１０の印刷済情報管理部１０５は、上記のステップＳ８０５で取得した画像データの格納先ＵＲＬを、印刷済情報として印刷済情報記憶部１０７に記憶させる（ステップＳ８０９）。これにより、印刷装置３０で印刷された写真（画像）の格納先ＵＲＬが管理される。
【００９８】
以上により、例えば、イベント会場やショッピングモール等で撮像した写真（画像）が印刷装置３０で印刷される。このように、ユーザは、イベント会場等において、撮像装置２０で撮像した写真に所定のハッシュタグを付与してＳＮＳサービス６０に投稿することで、印刷装置３０で当該写真の印刷を行うことができるようになる。
【００９９】
したがって、ユーザは、例えば、イベント参加の思い出等を写真として残すことができる。また、一方で、イベントの主催者等は、ユーザに提供する写真のフレームに企業名や商品名を付与することで、企業や商品のプロモーションを行うことができるようになる。
【０１００】
次に、印刷装置３０で印刷された写真（画像）を投影装置４０で投影表示する処理について、図１１を参照しながら説明する。図１１は、第一の実施形態に係る画像の投影処理の一例を示すシーケンス図である。
【０１０１】
まず、サービス提供装置１０のデータ取得部１０２は、印刷済情報（格納先ＵＲＬ）を印刷済情報記憶部１０７から取得する（ステップＳ１１０１）。ここで、データ取得部１０２は、１件の印刷済情報を印刷済情報記憶部１０７から取得しても良いし、複数件の印刷済情報を印刷済情報記憶部１０７から取得しても良い。
【０１０２】
次に、サービス提供装置１０のデータ取得部１０２は、上記のステップＳ１１０１で取得した格納先ＵＲＬが示す画像データを取得するための取得要求をＳＮＳサービス６０に送信する（ステップＳ１１０２）。すると、格納先ＵＲＬが示す画像データがＳＮＳサービス６０から返信される。
【０１０３】
次に、サービス提供装置１０の投影処理部１０６は、上記のステップＳ１１０２で取得した画像データが含まれる投影要求を投影装置４０に送信する（ステップＳ１１０３）。そして、投影装置４０は、投影要求を受信すると、当該投影要求に含まれる画像データを投影表示する（ステップＳ１１０４）。これにより、印刷装置３０で印刷された写真（画像）が投影表示される。
【０１０４】
なお、印刷済情報管理部１０５は、投影処理部１０６により投影要求が送信された後、当該投影要求に含まれる画像データと対応する印刷済情報を印刷済情報記憶部１０７から削除しても良い。
【０１０５】
また、サービス提供装置１０は、上記のステップＳ１１０２で複数の画像データをＳＮＳサービス６０から取得した場合、例えば、複数の画像データを結合した１つの画像データを生成して、当該生成した画像データを投影装置４０で投影させても良い。
【０１０６】
上記のステップＳ１１０１〜ステップＳ１１０４の処理は、所定の時間毎に繰り返し実行される。これにより、例えば、イベント会場やショッピングモール等において、印刷装置３０で印刷された写真が繰り返し投影表示される。
【０１０７】
以上により、例えば、イベントの参加者やショッピングモールの来店者等は、投影装置４０により投影された写真（画像）を見ることで、イベント会場内やショッピングモール内にサービス提供装置１０及び印刷装置３０が設置されていることを認識することができる。このため、本実施形態に係るサービス提供システム１によれば、イベント参加者や来店者等の多くに印刷装置３０による印刷を行わせることができる。
【０１０８】
なお、本実施形態に係るサービス提供システム１では、投影装置４０は、印刷装置３０で印刷された写真（画像）を投影表示するものとしたが、これに限られない。すなわち、投影装置４０は、印刷装置３０で印刷されていない写真を投影表示しても良い。
【０１０９】
また、本実施形態に係るサービス提供システム１では、上記のステップＳ１１０３の処理において、サービス提供装置１０から投影装置４０に投影要求を送信したが、これに限られない。すなわち、例えば、投影装置４０は、サービス提供装置１０に対して、画像の取得要求を行っても良い。より具体的には、例えば、投影装置４０は、Ｗｅｂサーバとして機能するサービス提供装置１０に対して、ＨＴＴＰ（Hypertext Transfer Protocol）リクエストを送信しても良い。この場合、投影装置４０は、上記のステップＳ１１０４の処理において、当該リクエストに対するレスポンスとして取得した画像データを投影表示すれば良い。
【０１１０】
［第二の実施形態］
次に、第二の実施形態について説明する。第二の実施形態では、印刷装置３０により印刷された印刷物に対して、ＱＲコード（登録商標）等のコード情報を付与する点が第一の実施形態と異なる。
【０１１１】
なお、第二の実施形態において、第一の実施形態と実質的に同一の機能を有する箇所及び同一の処理を行う箇所については、第一の実施形態で用いた符号と同一の符号を付与して、その説明を省略する。
【０１１２】
＜機能構成＞
まず、本実施形態に係るサービス提供システム１の機能構成について、図１２を参照しながら説明する。図１２は、第二の実施形態に係るサービス提供システム１の一例の機能構成を示す図である。
【０１１３】
図１２に示すように、本実施形態に係るサービス提供装置１０は、印刷処理部１０４Ａの機能が異なる。印刷処理部１０４Ａは、入力受付部１０１により印刷の実行操作が受け付けられると、ＱＲコード等のコード情報を作成する。そして、印刷処理部１０４Ａは、ユーザにより選択された写真（画像）に対してコード情報を付加した上で、印刷要求を印刷装置３０に送信する。これにより、印刷装置３０により印刷された印刷物には、ＱＲコード等のコード情報が印刷される。
【０１１４】
＜処理の詳細＞
次に、本実施形態に係るサービス提供システム１の処理の詳細について説明する。以降では、ユーザがサービス提供装置１０を用いて、ＳＮＳサービス６０に投稿された写真（画像）を印刷する処理について、図１３を参照しながら説明する。図１３は、第二の実施形態に係る画像の印刷処理の一例を示すシーケンス図である。
【０１１５】
サービス提供装置１０の印刷処理部１０４Ａは、データ取得部１０２により画像データが取得されると、コード情報を作成する。そして、印刷処理部１０４Ａは、例えば、図１０に示す印刷プレビュー画面２０００のフレーム選択欄２２００において選択されたフレームに応じて、当該画像データを加工すると共に、加工後の画像データにコード情報を付加する（ステップＳ１３０１）。
【０１１６】
なお、画像データに付加されるコード情報は、ＱＲコードに限られず、例えば、ＳＰコードやバーコード等であっても良い。また、コード情報は、例えば、専用のアプリケーションを用いて読み取ることで、ＵＲＬ等の情報を取得することが可能な所定の画像等であっても良い。
【０１１７】
サービス提供装置１０の印刷処理部１０４Ａは、コード情報が付加された画像データが含まれる印刷要求を印刷装置３０に送信する（ステップＳ１３０２）。これにより、例えば、図１４に示す印刷物３０００が印刷される。
【０１１８】
図１４に示す印刷物３０００には、ＱＲコード３１００が印刷されている。これにより、例えば、スマートフォンやタブレット端末等でＱＲコード３１００を読み取ることで、当該ＱＲコード３１００が示すコンテンツにアクセスすることができる。
【０１１９】
したがって、例えば、イベントの主催者等は、次回イベントのチケットを予約販売するＷｅｂページのＵＲＬを示すＱＲコードやイベントに関連する商品等を紹介するＷｅｂページのＵＲＬを示すＱＲコード等を印刷物に付加することができる。
【０１２０】
なお、ＱＲコードが示すコンテンツとしては、これら以外にも、例えば、割引クーポン、イベントに関連する音楽データや動画データ、アンケートフォーム、懸賞等への応募フォーム等が挙げられる。
【０１２１】
以上により、例えば、イベント会場やショッピングモール等で撮像した写真（画像）にコード情報が付加された上で、印刷装置３０で印刷される。これにより、撮像装置２０のユーザや当該ユーザからコード情報が付加された印刷物を譲り受けた者等は、当該コード情報をスマートフォン等で読み取ることで、例えば、イベントに関連するコンテンツ等にアクセスすることができるようになる。
【０１２２】
［第三の実施形態］
次に、第三の実施形態について説明する。第三の実施形態では、撮像装置２０で撮像することにより生成した画像データをサービス提供装置１０に格納する点が第一の実施形態と異なる。
【０１２３】
なお、第三の実施形態において、第一の実施形態と実質的に同一の機能を有する箇所及び同一の処理を行う箇所については、第一の実施形態で用いた符号と同一の符号を付与して、その説明を省略する。
【０１２４】
＜機能構成＞
次に、本実施形態に係るサービス提供システム１の機能構成について、図１５を参照しながら説明する。図１５は、第三の実施形態に係るサービス提供システム１の一例の機能構成を示す図である。
【０１２５】
図１５に示すように、本実施形態に係るサービス提供装置１０は、データ管理部１０８を有する。データ管理部１０８は、サービス提供装置１０にインストールされた１以上のプログラムが、ＣＰＵ１６に実行させる処理により実現される。
【０１２６】
また、本実施形態に係るサービス提供装置１０は、印刷画像情報記憶部１０９を有する。印刷画像情報記憶部１０９は、例えば、記憶装置１８を用いて実現可能である。
【０１２７】
データ管理部１０８は、撮像装置２０から送信された画像データを記憶装置１８の所定の記憶領域に記憶させる。また、データ管理部１０８は、当該画像データの格納先を示す格納先パスを含む印刷画像情報を作成して、印刷画像情報記憶部１０９に記憶させる。
【０１２８】
さらに、データ管理部１０８は、印刷画像情報記憶部１０９に記憶されている印刷画像情報に基づいて、画像の一覧を作成する。
【０１２９】
印刷画像情報記憶部１０９は、印刷画像情報を記憶する。ここで、印刷画像情報記憶部１０９に記憶されている印刷画像情報について、図１６を参照しながら説明する。図１６は、第三の実施形態に係る印刷画像情報の一例を示す図である。
【０１３０】
図１６に示すように、印刷画像情報記憶部１０９には、データ項目として「格納先パス」と、「印刷区分」とが含まれる印刷画像情報が記憶される。「格納先パス」は、画像データが格納されている記憶装置１８の格納先のパスである。「印刷区分」は、印刷装置３０で画像データが印刷されたか否かを示す区分である。
【０１３１】
このように、印刷画像情報記憶部１０９には、画像データの格納先パスと、当該画像データが印刷されたか否かを示す区分とが対応付けられた印刷画像情報が記憶されている。
【０１３２】
また、図１５に示すように、本実施形態に係る撮像装置２０は、画像送信部２０３Ａの機能が第一の実施形態と異なる。画像送信部２０３Ａは、入力受付部２０１により投稿操作が受け付けられると、撮像部２０２により生成された画像データの格納要求をサービス提供装置１０に送信する。
【０１３３】
＜処理の詳細＞
次に、本実施形態に係るサービス提供システム１の処理の詳細について説明する。
【０１３４】
まず、ユーザが写真（画像）を撮像して、サービス提供装置１０に格納させる処理について、図１７を参照しながら説明する。図１７は、第三の実施形態に係る画像の撮像から格納までの処理の一例を示すシーケンス図である。
【０１３５】
ステップＳ７０２に続いて、ユーザは、撮像部２０２により生成された画像データをサービス提供装置１０に格納させるための格納操作を行う。すると、撮像装置２０の入力受付部２０１は、ユーザによる格納操作を受け付ける（ステップＳ１７０１）。
【０１３６】
次に、撮像装置２０の画像送信部２０３Ａは、入力受付部２０１により格納操作が受け付けられると、撮像部２０２により生成された画像データを含む格納要求をサービス提供装置１０に送信する（ステップＳ１７０２）。なお、画像送信部２０３Ａは、例えば、撮像部２０２により画像データが生成されると、当該画像データを含む格納要求をサービス提供装置１０に送信しても良い。
【０１３７】
サービス提供装置１０のデータ管理部１０８は、撮像装置２０から格納要求を受信すると、当該格納要求に含まれている画像データを記憶装置１８の所定の記憶領域に記憶させると共に、印刷画像情報を作成する。そして、データ管理部１０８は、作成した印刷画像情報を印刷画像情報記憶部１０９に記憶させる（ステップＳ１７０２）。ここで、データ管理部１０８は、データ項目「格納先パス」に、当該画像データの格納先を示すパスを設定する。また、データ管理部１０８は、データ項目「印刷区分」に、画像データが未だ印刷されていないことを示す「未済」を設定する。
【０１３８】
以上により、サービス提供装置１０及び印刷装置３０が設置されている場所において、ユーザにより撮像装置２０を用いて撮像された写真（画像）が当該サービス提供装置１０に格納される。
【０１３９】
次に、ユーザがサービス提供装置１０を用いて、サービス提供装置１０に格納されている写真（画像）を印刷する処理について、図１８を参照しながら説明する。図１８は、第三の実施形態に係る画像の印刷処理の一例を示すシーケンス図である。
【０１４０】
ステップＳ８０１に続いて、サービス提供装置１０のデータ管理部１０８は、印刷画像情報記憶部１０９に記憶されている印刷画像情報に含まれる格納先パスに基づいて、画像の一覧を作成する（ステップＳ１８０１）。
【０１４１】
次に、サービス提供装置１０の表示制御部１０３は、データ管理部１０８により画像の一覧が作成されると、画像の一覧画面を表示する（ステップＳ１８０２）。ここで、表示制御部１０３により表示される画像の一覧画面は、例えば、図９に示す画像の一覧画面１０００と同様であるが、「ＳＮＳサービス名」や「ハッシュタグ」は表示されない。
【０１４２】
ステップＳ８０４に続いて、サービス提供装置１０のデータ管理部１０８は、入力受付部１０１により印刷操作が受け付けられると、ユーザにより選択された写真の格納先パスが示す画像データを取得する（ステップＳ１８０３）。
【０１４３】
最後に、サービス提供装置１０のデータ管理部１０８は、印刷画像情報において、上記のステップＳ１８０３でユーザにより選択された写真の格納先パスに対応付けられている「印刷区分」を「済」に更新する（ステップＳ１８０４）。これにより、印刷装置３０で印刷された写真（画像）が管理される。
【０１４４】
以上により、サービス提供装置１０及び印刷装置３０が設置されている場所（例えば、美容院や結婚式場等）で撮像を行うカメラマン等は、撮像した写真を印刷装置３０で印刷することができる。したがって、カメラマン等は、例えば、美容院の美容サービス後の顧客を撮像した写真や結婚式場で結婚式を行った顧客を撮像した写真等を、顧客に提供するサービス等を行うことができるようになる。
【０１４５】
次に、印刷装置３０で印刷された写真（画像）を投影装置４０で投影表示する処理について、図１９を参照しながら説明する。図１９は、第三の実施形態に係る画像の投影処理の一例を示すシーケンス図である。
【０１４６】
まず、サービス提供装置１０のデータ管理部１０８は、印刷画像情報記憶部１０９に記憶されている印刷画像情報のうち、「印刷区分」が「済」である印刷画像情報に含まれる格納先パスを取得する。そして、データ管理部１０８は、当該格納先パスが示す画像データを取得する（ステップＳ１９０１）。
【０１４７】
次に、サービス提供装置１０の投影処理部１０６は、上記のステップＳ１９０１で取得した画像データが含まれる投影要求を投影装置４０に送信する（ステップＳ１９０２）。
【０１４８】
以上により、サービス提供装置１０及び印刷装置３０が設置されている場所（例えば、美容院や結婚式場等）で撮像された写真を投影装置４０で投影表示することができる。
【０１４９】
［第四の実施形態］
次に、第四の実施形態について説明する。第四の実施形態では、ユーザが撮像装置２０を用いて撮像した写真（画像）毎に、当該写真の印刷物に対して、当該写真に関連付けられたコンテンツにアクセスするためのコード情報を付与する点が第三の実施形態と異なる。
【０１５０】
なお、第四の実施形態において、第三の実施形態と実質的に同一の機能を有する箇所及び同一の処理を行う箇所については、第三の実施形態で用いた符号と同一の符号を付与して、その説明を省略する。
【０１５１】
＜機能構成＞
まず、本実施形態に係るサービス提供システム１の機能構成について、図２０を参照しながら説明する。図２０は、第四の実施形態に係るサービス提供システム１の一例の機能構成を示す図である。
【０１５２】
図２０に示すように、本実施形態に係るサービス提供装置１０は、印刷処理部１０４Ｂの機能が異なる。印刷処理部１０４Ｂは、ＱＲコード等のコード情報を作成する。ここで、本実施形態に係る印刷処理部１０４Ｂは、後述する関連コンテンツデータにアクセスするためのコード情報を作成する。
【０１５３】
そして、印刷処理部１０４Ａは、作成したコード情報を画像データに付加した上で、印刷要求を印刷装置３０に送信する。
【０１５４】
また、本実施形態に係るサービス提供装置１０は、印刷画像情報記憶部１０９Ａに記憶されている印刷画像情報が異なる。ここで、印刷画像情報記憶部１０９Ａに記憶されている印刷画像情報について、図２１を参照しながら説明する。図２１は、第四の実施形態に係る印刷画像情報の一例を示す図である。
【０１５５】
図２１に示すように、印刷画像情報記憶部１０９Ａには、データ項目として、さらに、「関連コンテンツ格納先」が含まれる印刷画像情報が記憶される。「関連コンテンツ格納先ＵＲＬ」は、写真（画像）に関連するコンテンツ（例えば、他の写真、音楽、音声、動画、メッセージ等）である関連コンテンツデータが格納されている格納先ＵＲＬである。なお、関連コンテンツデータは、例えば、記憶装置１８の所定の記憶領域に記憶されている。
【０１５６】
このように、印刷画像情報記憶部１０９Ａには、写真（画像）に関連するコンテンツの格納先が対応付けられた印刷画像情報が記憶されている。
【０１５７】
図２０に示すように、本実施形態に係る撮像装置２０は、画像送信部２０３Ｂの機能が異なる。また、本実施形態に係る撮像装置２０は、関連コンテンツ作成部２０４を有する。
【０１５８】
関連コンテンツ作成部２０４は、撮像部２０２により生成された画像データと関連付けられるコンテンツデータ（関連コンテンツデータ）を生成する。画像送信部２０３Ｂは、入力受付部２０１により投稿操作が受け付けられると、撮像部２０２により生成された画像データと、関連コンテンツ作成部２０４により生成された関連コンテンツデータとの格納要求をサービス提供装置１０に送信する。
【０１５９】
＜処理の詳細＞
次に、本実施形態に係るサービス提供システム１の処理の詳細について説明する。
【０１６０】
まず、ユーザが写真（画像）を撮像して、サービス提供装置１０に格納させる処理について、図２２を参照しながら説明する。図２２は、第四の実施形態に係る画像の撮像から格納までの処理の一例を示すシーケンス図である。
【０１６１】
ステップＳ７０２に続いて、ユーザは、撮像部２０２により生成された画像データに関連付けられるコンテンツデータを生成するためのコンテンツの関連付け操作を行う。すると、撮像装置２０の入力受付部２０１は、ユーザによる関連付け操作を受け付ける（ステップＳ２２０１）。
【０１６２】
次に、撮像装置２０の関連コンテンツ作成部２０４は、入力受付部２０１により関連付け操作が受け付けられると、関連コンテンツデータを生成する（ステップＳ２２０２）。
【０１６３】
ここで、関連コンテンツ作成部２０４は、例えば、マイク等によりユーザの声を集音することで生成された音データを関連コンテンツデータとしても良い。また、関連コンテンツ作成部２０４は、例えば、撮像装置２０に格納されている音楽データや動画データ、テキストデータ等を関連コンテンツデータとしても良い。さらに、関連コンテンツ作成部２０４は、ＷｅｂページのＵＲＬ等を関連コンテンツデータとしても良い。
【０１６４】
このように、関連コンテンツ作成部２０４は、ユーザにより指定された任意のデータを関連コンテンツデータとすることができる。
【０１６５】
次に、撮像装置２０の画像送信部２０３Ｂは、撮像部２０２により生成された画像データと、関連コンテンツ作成部２０４により生成された関連コンテンツデータとを含む格納要求をサービス提供装置１０に送信する（ステップＳ２２０３）。
【０１６６】
サービス提供装置１０のデータ管理部１０８は、撮像装置２０から格納要求を受信すると、当該格納要求に含まれている画像データ及び関連コンテンツデータを記憶装置１８の所定の記憶領域に記憶させると共に、印刷画像情報を作成する。そして、データ管理部１０８は、作成した印刷画像情報を印刷画像情報記憶部１０９Ａに記憶させる（ステップＳ２２０４）。
【０１６７】
以上により、サービス提供装置１０及び印刷装置３０が設置されている場所において、ユーザにより撮像装置２０を用いて撮像された写真（画像）と、当該写真に関連するコンテンツとが当該サービス提供装置１０に格納される。
【０１６８】
次に、ユーザがサービス提供装置１０を用いて、サービス提供装置１０に格納されている写真（画像）を印刷する処理について、図２３を参照しながら説明する。図２３は、第四の実施形態に係る画像の印刷処理の一例を示すシーケンス図である。
【０１６９】
ステップＳ１８０３に続いて、サービス提供装置１０の印刷処理部１０４Ｂは、データ管理部１０８により画像データが取得されると、コード情報を作成する。ここで、印刷処理部１０４Ｂは、印刷画像情報において、取得された画像データの格納先パスに対応付けられている関連コンテンツ格納先ＵＲＬを示すコード情報を作成する。
【０１７０】
そして、印刷処理部１０４Ａは、例えば、図１０に示す印刷プレビュー画面２０００のフレーム選択欄２２００において選択されたフレームに応じて、当該画像データを加工すると共に、加工後の画像データにコード情報を付加する（ステップＳ２３０１）。
【０１７１】
サービス提供装置１０の印刷処理部１０４Ｂは、コード情報が付加された画像データが含まれる印刷要求を印刷装置３０に送信する（ステップＳ２３０２）。
【０１７２】
これにより、例えば、図１４に示す印刷物３０００が印刷される。本実施形態では、例えば、スマートフォンやタブレット端末等でＱＲコード３１００を読み取ることで、当該ＱＲコード３１００が示す関連コンテンツデータにアクセスすることができる。
【０１７３】
以上により、サービス提供装置１０及び印刷装置３０が設置されている場所（例えば、美容院や結婚式場等）で撮像を行うカメラマン等は、撮像した写真を印刷装置３０で印刷することができる。また、このとき、印刷装置３０で印刷された印刷物には、撮像された写真に関連するコンテンツにアクセスするためのコード情報が付加されている。
【０１７４】
したがって、印刷物を譲り受けた者等は、当該印刷物に印刷されている写真に関連するコンテンツにアクセスすることができるようになる。このため、例えば、あるイベントに参加した参加者等は、写真と共に、当該イベントで演奏された音楽等のコンテンツを関連コンテンツとしてアクセスすることができるようになる。
【０１７５】
なお、本実施形態に係るサービス提供システム１では、図２２のステップＳ２２０２で撮像装置２０において関連コンテンツを生成するものとしたが、これに限られず、例えば、写真（画像）を印刷する際に関連コンテンツを生成しても良い。
【０１７６】
すなわち、例えば、図２３のステップＳ８０３で印刷操作を行う際に、ユーザは、サービス提供装置１０を用いて、関連コンテンツデータを作成しても良い。具体的には、例えば、ユーザは、サービス提供装置１０上で、メッセージの作成（例えば、電子ペンで画像にメッセージを記入する等）や声の録音等を行うことで、関連コンテンツデータを作成しても良い。このような場合、サービス提供装置１０は、第一の実施形態や第二の実施形態と同様に、ＳＮＳサービス６０から写真（画像）を取得しても良い。
【０１７７】
このように、本実施形態に係るサービス提供装置１０は、ＳＮＳサービス６０から取得した写真（画像）に対して、ユーザが写真を印刷する際に関連コンテンツデータを作成した上で、当該関連コンテンツデータを示すコード情報を付加した写真を印刷しても良い。
【０１７８】
また、例えば、サービス提供装置１０を用いてメッセージの作成等が行われた場合には、当該メッセージを画像上に重畳させた印刷物を提供しても良い。これにより、サービス提供装置１０は、メッセージ付き画像が印刷された印刷物（例えば、画像が含まれる寄せ書き等）を提供することができるようになる。
【０１７９】
このとき、ユーザにより選択された複数の画像を１つの画像に結合させた上で、メッセージの作成等を行うことができても良い。これにより、サービス提供装置１０は、メッセージ付きのアルバムのような印刷物を提供することができるようになる。
【０１８０】
なお、本発明は、具体的に開示された上記の各実施形態に限定されるものではなく、特許請求の範囲から逸脱することなく、種々の変形や変更が可能である。
【符号の説明】
【０１８１】
１        サービス提供システム
１０      サービス提供装置
２０      撮像装置
３０      印刷装置
４０      投影装置
５０      サイネージ装置
１０１    入力受付部
１０２    データ取得部
１０３    表示制御部
１０４    印刷処理部
１０５    印刷済情報管理部
１０６    投影処理部
１０７    印刷済情報記憶部
２０１    入力受付部
２０２    撮像部
２０３    画像送信部
【先行技術文献】
【非特許文献】
【０１８２】
【非特許文献１】「フォトフォワード - FOTOfwd JAPAN  街かどインスタントプリント  INFORICH」、［online］、２０１６年４月２６日検索、インターネット＜URL: http://fotofwdjapan.com/＞
【非特許文献２】「スマホで簡単！コンビニ写真プリント - BiziCard（ビジカード）」、［online］、２０１６年４月２６日検索、インターネット＜URL: http://www.bizicard.net/service/＞
【図１】
0006740707.tif 000002
【図２】
0006740707.tif 000003
【図３】
0006740707.tif 000004
【図４】
0006740707.tif 000005
【図５】
0006740707.tif 000006
【図６】
0006740707.tif 000007
【図７】
0006740707.tif 000008
【図８】
0006740707.tif 000009
【図９】
0006740707.tif 000010
【図１０】
0006740707.tif 000011
【図１１】
0006740707.tif 000012
【図１２】
0006740707.tif 000013
【図１３】
0006740707.tif 000014
【図１４】
0006740707.tif 000015
【図１５】
0006740707.tif 000016
【図１６】
0006740707.tif 000017
【図１７】
0006740707.tif 000018
【図１８】
0006740707.tif 000019
【図１９】
0006740707.tif 000020
【図２０】
0006740707.tif 000021
【図２１】
0006740707.tif 000022
【図２２】
0006740707.tif 000023
【図２３】
0006740707.tif 000024